(57)【特許請求の範囲】
【請求項１】
ヤスリ車に発火石が圧接され、該ヤスリ車の回転により火花を発生させるライターの着火機構において、
ライター本体に回転自在に支持された支点部材と、
該支点部材と一体に回転可能なヤスリ車と、
該ヤスリ車の両側における支点部材の周面が平坦な伝達軸部の外周に配設されたリング状の摩擦抵抗部材と、
該摩擦抵抗部材の外周に空転可能に配設された横車とを備え、
前記横車は、中央部の内径が大きくなるようにＶ溝状に形成されるテーパー面で前記摩擦抵抗部材と接触し、
前記横車を中心方向に押し付けて前記摩擦抵抗部材の摩擦抵抗力を増大し前記摩擦抵抗部材の側面を前記ヤスリ車の側面に圧接した状態での前記横車の回転操作により、前記摩擦抵抗部材を介して、回転力が、前記支点部材の伝達軸部から前記ヤスリ車に伝達され及び直接前記ヤスリ車に伝達されて、前記ヤスリ車を回転させることを特徴とするライターの着火機構。
【請求項２】
前記支点部材は、ヤスリ車の中心部に対して両側から嵌合固着される嵌合部、該嵌合部に隣接して外周に前記摩擦抵抗部材が装着される伝達軸部、および円盤状フランジ部を有し、該フランジ部が横車の外側面に形成されたフランジ部の外径より大きい凹部に挿入されることを特徴とする請求項１に記載のライターの着火機構。
【請求項３】
前記支点部材は円盤状フランジ部を有し、該フランジ部とヤスリ車の側面との間に前記摩擦抵抗部材および横車が配設されることを特徴とする請求項１または２に記載のライターの着火機構。
【請求項４】
前記円盤状フランジ部の外周部が、前記横車の凹部の外周壁に接触するように、前記横車の押し付けが行われることを特徴とする請求項２または３に記載のライターの着火機構。
【請求項５】
前記支点部材の摩擦抵抗部材と接触する面が、ローレット等の凹凸形状に設けられたことを特徴とする請求項１〜４のいずれか１項に記載のライターの着火機構。
【請求項６】
前記横車の摩擦抵抗部材と接触する面が、ローレット等の凹凸形状に設けられたことを特徴とする請求項１〜５のいずれか１項に記載のライターの着火機構。
【請求項７】
前記摩擦抵抗部材が、ゴム、軟質樹脂などの弾性材料で構成されたことを特徴とする請求項１〜６のいずれか１項に記載のライターの着火機構。
【請求項８】
前記摩擦抵抗部材が、Ｏリング状または平リング状であることを特徴とする請求項１〜７のいずれか１項に記載のライターの着火機構。
【発明の詳細な説明】
【０００１】
【発明の属する技術分野】
本発明は、発火石を使用しヤスリ車の回転によって火花を飛ばすようにしたライターの着火機構に関し、特に、横車が空転して着火不能な状態を有する機構に関するものである。
【０００２】
【従来の技術】
従来より、横車をヤスリ車と分離して空転可能に設置し、単なる横車の回転操作ではヤスリ車が回転せず、着火不能として不用意に炎が発生しないようにした着火機構が種々提案されている。
【０００３】
例えば、第１の先行例として、米国特許第５,０９６,４１４号に示されるように、ヤスリ車が両側の支軸により回転自在に支持され、このヤスリ車の両側に支軸を中心として空回りする横車が設けられ、指を横車と共にヤスリ車の外周に接触させて、直接ヤスリ車を回転させることで着火するようにし、横車の回転だけでは着火不能とした構造が提案されている。
【０００４】
また、第２の先行例として、米国特許第５,５４７,３７０号に示されるように、ヤスリ車を回転可能に支持する支軸におけるヤスリ車の両側の横車を支持する部分を断面多角形状とし、この多角形状より大きい多角形穴を横車に設け、通常は横車が空転し、横車を押さえ付けることにより両多角形の角が係合してヤスリ車を回転可能とした構造が提案されている。
【０００５】
第３の先行例として、米国特許第５,８６８,５６１号に示されるように、ヤスリ車の支軸の断面を凹凸形状を有する構造とし、横車の中心孔は、この支軸の凹凸形状と相似でサイズの大きい形状として空転および係合可能に設け、第２の先行例と同じく通常は空回りする横車が、押さえ付けることにより支軸と係合しヤスリ車を回転可能とした構造が提案されている。
【０００６】
第４の先行例として、米国特許第５,９１３,６７４号に示されるように、ヤスリ車の支軸の断面を歯車形状、セレーション形状に設け、横車の中心孔を内径の大きい歯車形状、セレーション形状として空転および係合可能に設け、第２の先行例と同じく通常は空回りする横車が、押さえ付けることにより支軸と係合しヤスリ車を回転可能とした構造が提案されている。
【０００７】
第５の先行例として、米国特許第５,９７１,７４９号に示されるように、ヤスリ車は丸棒状の支軸により回転可能に支持され、ヤスリ車の両側の横車は支軸より径の大きい軸受穴で回転可能に支持されると共に、ヤスリ車の両側面には多角形穴を開口させ、横車の内側面には多角形穴よりサイズの小さい多角形突起を設けて空転および係合可能とし、通常は空回りする横車が、押さえ付けることによりヤスリ車と係合してヤスリ車を回転可能とした構造が提案されている。
【０００８】
一方、横車が空転可能ではないが、他の着火機構を示す第６の先行例として、米国特許第５,７５９,０２３号に示されるように、ヤスリ車の両側に横車を一体に回転可能に設けると共に、この横車とヤスリ車との間に滑り車を配設し、指の小さい子供などでは両側の横車への指の接触および滑り車の押し付けが十分に得られずに、着火操作を困難とした構造が提案されている。
【０００９】
【発明が解決しようとする課題】
しかして、上記のような先行例のライターの着火機構では、その使用態様または組み付けにおいて次のような問題を有し、実用化に向けて一層の改善が望まれる。
【００１０】
具体的には、第１の先行例では、ヤスリ車に直接触れてこれを回転させるので手が汚れる点で問題があり、また使用者によっては指肉が薄くヤスリ車に届かなければ回転できず正規の着火操作が行いにくい難点がある。また、第２ないし第５の先行例では、ヤスリ車の支軸と横車またはヤスリ車と横車との間のサイズの異なる形状の押し付け係合により横車とヤスリ車が一体に回転する構造であるが、通常の空転状態では係合しない寸法設定であるので、横車の支持にはその移動を許容するための隙間があって、がたつきが大きく組み付けが不安定であり、不良品と思われる恐れがあり商品性が低い。また、一般にヤスリ車、支軸、横車は、強度、耐熱性の面から金属が使用されるもので、金属同士の係合においては摩擦抵抗力が比較的小さいため、この第２ないし第５の先行例では、多角形状等がしっかり係合しない限り回転抵抗が比較的大きいヤスリ車の回転は難しく、正規の着火操作が行いにくく、また係合しやすい形状とすると空転しにくく所期の機能が得にくい難点がある。さらに、空転時に金属同士が衝突して異音が発生し、製品としての印象を損ねる難点もある。
【００１１】
一方、第６の先行例の滑り車のように、金属同士の押し付けに伴う摩擦抵抗力の増大だけではヤスリ車の回転抵抗力以上の力を得るのが難しく、また、滑り車の介在により着火操作性が低くなる難点があり、１回の操作では着火できないような扱いにくいライターとなる恐れがある。
【００１２】
本発明はこの点に鑑み、横車の空転状態の確保と着火操作性に優れると共に、横車のがたつきが少なく組み付けが良好で異音のない商品性の高いライターの着火機構を提供せんとするものである。
【００１３】
【課題を解決するための手段】
上記課題を解決した本発明のライターの着火機構は、ヤスリ車に発火石が圧接され、該ヤスリ車の回転により火花を発生させるライターの着火機構において、ライター本体に回転自在に支持された支点部材と、該支点部材と一体に回転可能なヤスリ車と、該ヤスリ車の両側における支点部材の外周に配設されたリング状の摩擦抵抗部材と、該摩擦抵抗部材の外周に空転可能に配設された横車とを備え、前記横車を中心方向に押し付けて摩擦抵抗部材の摩擦抵抗力を増大した状態での横車の回転操作により摩擦抵抗部材を介してヤスリ車を回転させることを特徴とするものである。
【００１４】
前記支点部材は、ヤスリ車の中心部に対して両側から嵌合固着される嵌合部を有し、該嵌合部に隣接して外周に前記摩擦抵抗部材が装着される伝達軸部を有するものが好ましい。前記支点部材は円盤状フランジ部を有し、該フランジ部とヤスリ車の側面との間に摩擦抵抗部材および横車を配設するのが好適である。前記支点部材は円盤状フランジ部を有し、該フランジ部を横車の外側面に形成されたフランジ部の外径より大きい凹部に挿入するのが好適である。
【００１５】
前記支点部材の摩擦抵抗部材と接触する面を、ローレット等の凹凸形状に設けてもよい。前記横車の摩擦抵抗部材と接触する面を、ローレット等の凹凸形状に設けてもよい。前記横車は、テーパー面で摩擦抵抗部材と接触するようにしてもよい。
【００１６】
前記摩擦抵抗部材は、ゴム、軟質樹脂などの弾性材料で構成するのが好ましい。前記摩擦抵抗部材は、Ｏリング状または平リング状に形成し得る。
【００１７】
【発明の効果】
以上のような本発明によれば、ライター本体に回転自在に支持された支点部材と一体に回転可能に設けたヤスリ車の両側における支点部材の外周にリング状の摩擦抵抗部材を配設し、該摩擦抵抗部材の外周に空転可能に横車を配設し、横車を中心方向に押し付けて摩擦抵抗部材の摩擦抵抗力を増大した状態での横車の回転操作により摩擦抵抗部材を介してヤスリ車を回転させるようにしたことにより、従来の着火操作のように横車を単に回転させようとしても横車は空回りしてヤスリ車は回転せず着火不能であり、所期の機能が得られる。また、着火のための操作は横車の押し回し操作であって、この横車によるヤスリ車の回転を摩擦抵抗部材の摩擦抵抗力を介して行うので、従来の係合形状による回転伝達と異なり、係合位置に制限がなく横車の押し付けによりヤスリ車を回転できるため、操作性が向上する。
【００１８】
また、横車を押し付けない空転状態にあっても摩擦抵抗部材の介在により、横車と支点部材およびヤスリ車にがたつきが少なく組み付けが安定する。また、横車の空転時には係合部分の衝突による異音発生がなく、スムーズに回転し不良品と思われることなく商品性が向上する。さらに、着火機構の組み立ては簡易に行え、量産性に適したものである。
【００１９】
【発明の実施の形態】
以下、図面を参照して本発明のライターの着火機構の実施の形態を詳細に説明する。図１は一つの実施の形態の着火機構を有するガスライターの中央縦断正面図、図２は組立状態の着火機構の斜視図、図３はその分解斜視図、図４は着火機構部分の中央縦断面図、図５は操作状態の着火機構の中央縦断面図である。
【００２０】
ガスライター１は、燃料ガスが貯蔵されたライター本体２と、燃料ガスを噴出するノズル３およびバルブ機構４１を有する燃料供給手段４と、この燃料供給手段４のノズル３を引き上げてバルブ機構４１の開閉作動を行う作動レバー５と、フリント式の着火機構６とを備えている。
【００２１】
ライター本体２は、合成樹脂で成形された有底筒状のタンク本体２１の上面に上蓋２２が気密に固定されて、その内部にブタンガス等の燃料ガスが貯蔵されるタンク部分が構成されると共に、このタンク部分とは別体にその上部に中間ケース２３が嵌着されてなる。
【００２２】
上記ライター本体２の上蓋２２には、貯蔵された燃料ガスの噴出量を制御する公知のバルブ機構４１による燃料供給手段４が配設され、該バルブ機構４１の中心に設けられたノズル３が中間ケース２３より上部に突出している。このノズル３には、前記作動レバー５の一端部に形成されたノズル係合部５１が係合される。また、上記ノズル３の上方周囲にはキャップ８が装着され、さらに、ノズル３からのガス噴出量を調整する炎長調整リング４２が設置されている。
【００２３】
着火機構６は、両端部の支点部材６１，６１と、該支点部材６１，６１に固着支持される周面がヤスリ面に形成されたヤスリ車６２と、該ヤスリ車６２の両側に空転可能に配設され外周面に凹凸形状を有する横車６３，６３と、横車６３，６３の内周側で支点部材６１，６１の外周に介装される摩擦抵抗部材６４，６４と、上記ヤスリ車６２の底部周面に石押しスプリング６７で付勢されて圧接する発火石６８（フリント）とからなる。発火石６８および石押しスプリング６７は前記中間ケース２３の筒部２４に収容されている。
【００２４】
両側の支点部材６１は、それぞれ円盤状のフランジ部６１ａの内側面中心に外周面に軸方向に延びる凹凸ローレットが形成された軸状嵌合部６１ｂが突設され、軸状嵌合部６１ｂとフランジ部６１ａとの間に周面が平坦な伝達軸部６１ｃが設けられ、フランジ部６１ａの外側面中心には回転軸６１ｄが突設されている。両側支点部材６１の軸状嵌合部６１ｂが、円筒状のヤスリ車６２の中心孔６２ａに両側から嵌合されて一体に回転するように結合される。外方に突出する両側の回転軸６１ｄが、前記中間ケース２３の左右両側に上方に指向して配設した支柱２５に開口された軸受孔２６（図４参照）に挿入支持され、ヤスリ車６２が回転可能に設けられている。そして、上記ヤスリ車６２を回転することにより発火石６８を擦過して火花が発生する。
【００２５】
前記摩擦抵抗部材６４は、断面円形のＯリング状で、ゴム、軟質樹脂などで構成され、表面は摩擦係数がある程度大きく形成されている。その内径は前記支点部材６１の伝達軸部６１ｃの外径に相当し、自由状態または若干伸ばした状態で伝達軸部６１ｃの外周に装着される。
【００２６】
前記横車６３は、リング状で外周が指掛け用の凹凸形状に設けられ、内周開口の周面が前記摩擦抵抗部材６４の外周に接触可能な当接面６３ａに形成され、この当接面６３ａの内径は摩擦抵抗部材６４の外径と略一致する。横車６３の内側面は平坦に、外側面には前記支点部材６１のフランジ部６１ａの外径より大きく、厚みに相当する深さの円形凹部６３ｂが設けられている。組付状態においては、該凹部６３ｂ内にフランジ部６１ａが挿入され、横車６３の半径方向の移動が許容されると共に移動範囲が規制される。つまり、フランジ部６１ａの外周面が凹部６３ｂの周面に当接する範囲で横車６３が半径方向に移動可能である。その際、当接面６３ａが摩擦抵抗部材６４に接触し、横車６３の移動量に応じて変形させる。摩擦抵抗部材６４が押圧されると、横車６３の当接面６３ａおよび支点部材６１の伝達軸部６１ｃに圧接して摩擦抵抗力が増し、横車６３の回転を支点部材６１およびヤスリ車６２に伝達し、一体に回転するようになっている。
【００２７】
なお、ヤスリ車６２に支点部材６１を嵌合する際に、前記摩擦抵抗部材６４および横車６３が、支点部材６１のフランジ部６１ａとヤスリ車６２の側面との間の伝達軸部６１ｃの外周に同時に組み付けられる。
【００２８】
前記作動レバー５は、支柱２５の間を通りライター本体２の中間ケース２３上に前後方向に延びて配設されている。該作動レバー５は合成樹脂からなり、一端にノズル３の先端が挿通しノズル首部が係合するスリット溝によるノズル係合部５１が形成され、他端の上面に押圧部５２が形成されている。上記ノズル係合部５１は、常時ノズルに係合している。なお、前記ノズル係合部５１と押圧部５２との中間部分には前記筒部２４の上端が挿通し、発火石６８がヤスリ車６２の底部外周に圧接する。
【００２９】
以上のような構成からなるガスライター１について、その作用を詳細に説明する。まず、図１および図４に示す非使用状態において、摩擦抵抗部材６４は全周において非押圧状態にあり、横車６３はその中心位置が支点部材６１の中心位置と略一致する。この状態で横車６３の外周に指が掛けられ、単に回転操作または弱い押し付け力で回転操作された際には、摩擦抵抗部材６４はその外周部の横車６３の当接面６３ａに対する摩擦抵抗力または内周部の支点部材６１の伝達軸部６１ｃに対する摩擦抵抗力が小さく、また、ヤスリ面に発火石６８が圧接していることでヤスリ車６２の回転にはある程度大きな抵抗があり、横車６３は支点部材６１に対して空転する。その際、摩擦抵抗部材６４は回転せず外周部で横車６３に対し滑動するか、横車６３と共に回転して内周部で支点部材６１に対して滑動するか、内外周の両方で滑動する。この横車６３の空転により、支点部材６１およびヤスリ車６２は回転しないで火花は発生せず、作動レバー５が押し下げられてガスが噴出しても着火しない。
【００３０】
次に、ガスライター１の着火操作は、図５に示すように、横車６３の外周の凹凸に指Ｆを当て中心方向に強い力で押し付けると共に回転させるのに続いて作動レバー５の押圧部５２を押し下げる。横車６３の中心方向への押し付けに伴い、この押し付け部分の摩擦抵抗部材６４は圧縮されて横車６３の中心位置が移動する。図５の状態では、支点部材６１のフランジ部６１ａの外周部が、横車６３の凹部６３ｂの外周壁に接触する程度まで、横車６３の押し付けが行われている。
【００３１】
この状態では、摩擦抵抗部材６４の内外周における横車６３の当接面６３ａおよび支点部材６１の伝達軸部６１ｃに対する密着が強まり、摩擦抵抗力がヤスリ車６２と発火石６８の擦過抵抗力より増大し、横車６３の回転力が摩擦抵抗部材６４を介して支点部材６１に伝達され、また摩擦抵抗部材６４の側面がヤスリ車６２の側面に圧接する場合にはヤスリ車６２にも直接伝達されて、横車６３の回転に伴ってヤスリ車６２が回転し火花が発生する。作動レバー５の揺動によりノズル係合部５１はノズル３を上昇させて燃料ガスを噴出させ、前記火花により着火する。
【００３２】
なお、前記横車６３の回転操作から指Ｆが離れて作動レバー５の押圧部５２に移行する途中で、横車６３の押し付け力が弱まり、ヤスリ車６２への回転力の伝達が遮断されるが、ヤスリ車６２の初期の回転量によって着火に必要な火花は確保できる。
【００３３】
消火のために作動レバー５の押圧部５２から指Ｆを離すと、燃料供給手段４内に配設したスプリングの戻り力によりノズル３が下降し、燃料ガスの噴出が停止される。また、前記横車６３から指Ｆが離れることで、摩擦抵抗部材６４の押圧が解放されて復元し、横車６３は空転状態に戻る。
【００３４】
本実施形態によれば、横車６３の通常回転操作では横車６３が空転して火花が発生せず、従来操作では着火不能であることが認識でき、また、着火操作としては従来の操作に横車６３の押し付け動作を加えたことにより、一連の操作に連係して操作性に優れている。ヤスリ車６２の外周に触れることなく手も汚れない。空転時には摩擦抵抗部材６４がゴム、軟質樹脂等によるリング状であることで、異音の発生がなく、摩擦抵抗部材６４が全周で均等な厚みに復元して各部に形成される隙間は小さく横車６３のがたつきも少ない。
【００３５】
図６は、他の形態の摩擦抵抗部材を示す斜視図である。この摩擦抵抗部材６５は、ゴム、軟質樹脂などで断面が矩形の平リング形状に設けられている。該摩擦抵抗部材６５は、外周面および内周面が平坦であることで、支点部材６１および横車６３に対する接触面積が広くなり、弱い押し付け力での摩擦抵抗力の増大が得られる。また、弾性変形量の少ない（剛性の大きい）素材による摩擦抵抗部材６５の形態に適している。
【００３６】
その他、摩擦抵抗部材としては断面形状が、半円形状、楕円形状、台形状、太鼓型などに適宜設計変更可能である。また、材質としては、剛性の大きさに応じ軟らかいものと硬いものとで押し付け力に対する変形程度が異なって摩擦抵抗力が異なり、また、素材自体の摩擦係数の違いによっても摩擦抵抗力が異なり、弱い押し付け時の横車６３の空転を確保すると共に、適度な押し付け力が加わると急激に摩擦抵抗力が増大してヤスリ車６２の回転が行えるように、材質、形状等を選定するものである。
【００３７】
次に、図７は、他の形態の支点部材６１および横車６３を示す斜視図である。この形態の支点部材６１の伝達軸部６１ｅは、外周面が軸方向に延びる凹凸形状によるローレットに設けられている。また、横車６３の内周当接面６３ｃは、同様に軸方向に延びる凹凸形状によるローレットに設けられている。なお、本形態においては、平リング状の摩擦抵抗部材６５を採用するのが好適である。
【００３８】
上記ローレットとしたことにより、摩擦抵抗部材６５として硬いものが使用された際に、横車６３の押し付け時に伝達軸部６１ｅおよび当接面６３ｃのローレットの凸部先端が摩擦抵抗部材６５に食い込んで摩擦抵抗力が増し、横車６３の回転力の伝達を確保している。なお、伝達軸部６１ｅおよび当接面６３ｃの一方のみローレットとしてもよく、その凹凸形状の高さも変更可能である。また、上記伝達軸部６１ｅおよび当接面６３ｃの摩擦抵抗力の増大構造としては、ローレットのほか、表面を粗面化する形態が適宜採用可能であり、摩擦抵抗部材６５の材質、硬さ、形態に応じて設計される。
【００３９】
次に図８〜図１０は、それぞれ他の形態の横車６３を有する着火機構６を示す断面図であり、テーパー面で抵抗部材６４と接触するようにしている。
【００４０】
図８の横車６３の当接面６３ｄは、内側のヤスリ車６２の側面に向けて内径が大きくなるように広がるテーパー面（円錐面）に形成されている。この形態では、横車６３が中心方向に押し付けられた際には、上記テーパー面による当接面６３ｄでＯリング状の摩擦抵抗部材６４が圧縮されて、支点部材６１の伝達軸部６１ｃに対して押圧されると共に、内側のヤスリ車６２の側面に対しても押圧されて回転力を伝達する摩擦抵抗力が確保される。
【００４１】
図９の横車６３の当接面６３ｅは、中央部の内径が大きくなるようにＶ溝状のテーパー面に形成されている。この形態では、横車６３が中心方向に押し付けられた際には、上記Ｖ溝面による当接面６３ｅでＯリング状の摩擦抵抗部材６４が圧縮されて、当接面６３ｅと摩擦抵抗部材６４との接触面積が大きくなり、回転力を伝達する摩擦抵抗力が確保される。
【００４２】
図１０の横車６３の当接面６３ｆは、中央部の内径が小さくなるようにＶ凸状のテーパー面に形成されている。この形態では、横車６３が中心方向に押し付けられた際には、山形面による当接面６３ｆでＯリング状の摩擦抵抗部材６４の中央部が圧縮されて、支点部材６１の伝達軸部６１ｃに対して押圧されると共に、両側のヤスリ車６２の側面およびフランジ部６１ａの側面に対しても押圧されて回転力を伝達する摩擦抵抗力が確保される。
【００４３】
なお、上記横車６３の内周当接面の形状としては、そのほか、円弧状凹面、円弧状凸面、周方向に延びる縦溝を有する面などに形成可能で、それぞれの形態に応じた伝達特性が得られる。
【図面の簡単な説明】
【図１】本発明の一つの実施の形態の着火機構を有するガスライターの中央縦断正面図
【図２】図１の着火機構の組立状態の斜視図
【図３】図２の分解斜視図
【図４】図１の着火機構部分の中央縦断面図
【図５】図４の操作状態を示す同中央縦断面図
【図６】他の形態の摩擦抵抗部材を示す斜視図
【図７】他の形態の支点部材および横車を示す斜視図
【図８】他の形態の横車を有する着火機構の中央縦断面図
【図９】さらに他の形態の横車を有する着火機構の中央縦断面図
【図１０】さらに他の形態の横車を有する着火機構の中央縦断面図
【符号の説明】
１    ガスライター
２    ライター本体
３    ノズル
４    燃料供給手段
５    作動レバー
６    着火機構
21    タンク本体
25    支柱
26    軸受孔
51    ノズル係合部
52    押圧部
61    支点部材
61a   フランジ部
61b   嵌合部
61c,61e   伝達軸部
61d   回転軸
62    ヤスリ車
62a   中心孔
63    横車
63a,63c〜63f    当接面
63b   凹部
64，65    摩擦抵抗部材
67    石押しスプリング
68    発火石
【図１】
0004268309.tif 000002
【図２】
0004268309.tif 000003
【図３】
0004268309.tif 000004
【図４】
0004268309.tif 000005
【図５】
0004268309.tif 000006
【図６】
0004268309.tif 000007
【図７】
0004268309.tif 000008
【図８】
0004268309.tif 000009
【図９】
0004268309.tif 000010
【図１０】
0004268309.tif 000011